【事件の表示】
　特願２０１８−　２４７５７「臭気マスキングアミン組成物」拒絶査定不服審判事件〔平成３０年　７月２６日出願公開、特開２０１８−１１５３２４〕について、次のとおり審決する。
【結　論】
　本件審判の請求は、成り立たない。
【理　由】
第１　手続の経緯　 
　本願は、２０１５年２月３日（パリ条約による優先権主張外国庁受理　２０１４年２月６日　（ＦＲ）フランス）を国際出願日とする出願である特願２０１６−５５０６４５号の一部を平成３０年２月１５日に新たな特許出願としたものであって、平成３０年１０月１１日付けで拒絶理由が通知され、その指定期間内の平成３１年４月１５日に意見書及び手続補正書が提出され、令和元年８月７日に拒絶査定がなされ、これに対して、同年１２月１３日に拒絶査定不服の審判が請求されると同時に手続補正書が提出されたものである。 
第２　令和元年１２月１３日付け手続補正についての補正の却下の決定 
［補正却下の決定の結論］ 
　令和元年１２月１３日付け手続補正を却下する。 
［理由］ 
１．本件補正の内容　
　特許法第１７条の２第１項第４号に掲げる場合の手続補正である、令和元年１２月１３日付けの手続補正（以下、「本件補正」という。）は、特許請求の範囲についてするものであって、
　本件補正による補正前の請求項１（すなわち、平成３１年４月１５日付けの手続補正による補正後の請求項１） の
「【請求項１】
　ａ）組成物の総重量に対して少なくとも９０重量％の少なくとも１つの第一級、第二級または第三級アミンおよび
　ｂ）組成物の総重量に対して最大１０％の臭気マスキング剤（ｂ）を含む組成物であって、
　前記臭気マスキング剤が：
　式（ｂ１）の少なくとも１つのエーテル：
　　【化１】
（式中：
　Ｒ４およびＲ５は同一であっても異なってもよく、１から１２個の炭素原子を含む直鎖または分枝アルキル基、３から１２個の炭素原子を含むシクロアルキル基、２から１２個の炭素原子を含むアルケニル基、３から１２個の炭素原子を含むシクロアルケニル基、フェニル基およびベンジル基から互いに独立して選択され、
　Ｒ４およびＲ５は、これらが結合されている酸素原子と共に、３から２０個の原子を含み、酸素、窒素、硫黄およびリンから選択される１個以上のヘテロ原子を含んでよい環構造を形成してもよく、前記環構造がヒドロキシ、アルコキシ、アルキルカルボニル、アルコキシカルボニル、フェニル、ベンジル、フッ素、塩素、臭素、ヨウ素、硫黄、リンおよび窒素から選択される１個以上の基によって置換されてもよい）、
少なくとも１つのテルペンおよび／または１つのテルペノイド（ｂ２）、ならびに
式（ｂ３）の少なくとも１つのオキシム：
　　【化２】
（式中：
　Ｒ６は１から２４個の炭素原子を含む直鎖または分枝アルキル基、３から２４個の炭素原子を含むシクロアルキル基、２から２４個の炭素原子を含むアルケニル基、３から２４個の炭素原子を含むシクロアルケニル基、フェニル基およびベンジル基から選択され、ならびにＲ７は水素原子および１から２４個の炭素原子を含む直鎖または分枝アルキル基、３から２４個の炭素原子を含むシクロアルキル基、２から２４個の炭素原子を含むアルケニル基、３から２４個の炭素原子を含むシクロアルケニル基、フェニル基およびベンジル基から選択され、
　Ｒ６およびＲ７は、これらが結合されている炭素原子と共に、３から２０個の原子を含み、酸素、窒素、硫黄およびリンから選択される１個以上のヘテロ原子を含んでよい環構造を形成してもよく、前記環構造がヒドロキシ、アルコキシ、フェニル、ベンジル、フッ素、塩素、臭素、ヨウ素、硫黄、リンおよび窒素から選択される１個以上の基によって置換されてもよい）を含む、組成物。」との記載を、
　本件補正による補正後の請求項１の
「【請求項１】
　ａ）組成物の総重量に対して少なくとも９９．５重量％の少なくとも１つの第一級、第二級または第三級アミン、前記少なくとも１つのアミンは、ＤＭＥＡ、ＤＭＩＰＡ、ＤＥＭＡ、ＤＭＰＡおよびＴＥＡ、ならびに任意の割合でのこれらの２つ以上の混合物から選択される、および
　ｂ）組成物の総重量に対して最大０．５％の臭気マスキング剤（ｂ）を含む組成物であって、
　前記臭気マスキング剤が：
−　臭気マスキング剤の総重量に対して１０重量％〜９８重量％のエーテルであるフェノキシベンゼンおよび２−メトキシナフタレン、
−　臭気マスキング剤の総重量に対して１０重量％〜９８重量％のテルペンであるリモネンおよびユーカリプトール、
−　臭気マスキング剤の総重量に対して１重量％〜１０重量％の５−メチル−３−ヘプタノンオキシム、ならびに
−　臭気マスキング剤の総重量に対して０．１重量％〜１重量％の添加剤
を含み、ここで構成成分の和は、マスキング剤の１００重量％に相当する、組成物。」との記載に改める補正を含むものである。
２．補正の適否
（１）目的要件について
　本件補正は、補正前の請求項１の「式（ｂ１）の少なくとも１つのエーテル：
　　【化１】
（式中：
　Ｒ４およびＲ５は同一であっても異なってもよく、１から１２個の炭素原子を含む直鎖または分枝アルキル基、３から１２個の炭素原子を含むシクロアルキル基、２から１２個の炭素原子を含むアルケニル基、３から１２個の炭素原子を含むシクロアルケニル基、フェニル基およびベンジル基から互いに独立して選択され、
　Ｒ４およびＲ５は、これらが結合されている酸素原子と共に、３から２０個の原子を含み、酸素、窒素、硫黄およびリンから選択される１個以上のヘテロ原子を含んでよい環構造を形成してもよく、前記環構造がヒドロキシ、アルコキシ、アルキルカルボニル、アルコキシカルボニル、フェニル、ベンジル、フッ素、塩素、臭素、ヨウ素、硫黄、リンおよび窒素から選択される１個以上の基によって置換されてもよい）」との記載にある「式（ｂ１）の少なくとも１つのエーテル」に関する発明特定事項を削除して、補正後の請求項１の「臭気マスキング剤の総重量に対して１０重量％〜９８重量％のエーテルであるフェノキシベンゼンおよび２−メトキシナフタレン」という事項を新たな発明特定事項として導入する補正を含むものであるところ、補正後の請求項１に導入された「２−メトキシナフタレン」という化合物名の化合物（分子式が「Ｃ１１Ｈ１０Ｏ」で表される２２個の原子を含む化合物）については、補正前の請求項１の「式（ｂ１）の少なくとも１つのエーテル」の「Ｒ４およびＲ５」が「１個の炭素原子を含むアルキル基」と「ナフチル基」である場合の化合物に該当するので、その「ナフチル基」が補正前の「Ｒ４およびＲ５」の選択肢に含まれていないという点において、補正前の請求項１に記載された発明特定事項を限定的に減縮するものに該当せず、特許法第１７条の２第５項第２号に掲げる「特許請求の範囲の減縮（第３６条第５項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）」を目的とするものに該当するとは認められない。
　また、当該補正によって「請求項の削除」がなされないことは明らかであるから、当該補正が同１号に掲げる「第３６条第５項に規定する請求項の削除」を目的とするものに該当するとは認められない。
　さらに、当該補正によって、補正前の「誤記」が「訂正」されることになるとはいえず、補正前の「明りようでない記載」が「釈明」されることになるともいえないので、当該補正が同３号に掲げる「誤記の訂正」又は同４号に掲げる「明りようでない記載の釈明（拒絶理由通知に係る拒絶の理由に示す事項についてするものに限る。）」を目的とするものに該当するとも認められない。
　したがって、本件補正は、目的要件違反があるという点において、特許法第１７条の２第５項の規定に違反してなされたものである。
　
（２）独立特許要件について
ア　はじめに
　本件補正は、上記のとおり目的要件に違反するものであるが、補正前の請求項１の「ａ）組成物の総重量に対して少なくとも９０重量％の少なくとも１つの第一級、第二級または第三級アミン」との記載部分を、補正後の請求項１の「ａ）組成物の総重量に対して少なくとも９９．５重量％の少なくとも１つの第一級、第二級または第三級アミン、前記少なくとも１つのアミンは、ＤＭＥＡ、ＤＭＩＰＡ、ＤＥＭＡ、ＤＭＰＡおよびＴＥＡ、ならびに任意の割合でのこれらの２つ以上の混合物から選択される」との記載に改める補正を含むものであって、当該補正は、特許法第１７条の２第５項第２号に掲げる「特許請求の範囲の減縮（第３６条第５項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）」を目的とするものに該当するといえる。
　そこで、補正後の請求項１に記載されている発明（以下、「本件補正発明」という。）が、特許出願の際独立して特許を受けることができるものであるか否か（特許法第１７条の２第６項において準用する同法第１２６条第７項の規定に適合するか否か）について以下に検討する。
　
イ　明細書のサポート要件
（ア）サポート要件の判断手法について
　特許請求の範囲の記載が、特許法第３６条第６項第１号に係る規定（いわゆる「明細書のサポート要件」）に適合するか否かは、特許請求の範囲の記載と発明の詳細な説明の記載とを対比し、特許請求の範囲に記載された発明が、発明の詳細な説明に記載された発明で、発明の詳細な説明の記載により当業者が当該発明の課題を解決できると認識できる範囲のものであるか否か、また、その記載や示唆がなくとも当業者が出願時の技術常識に照らし当該発明の課題を解決できると認識できる範囲のものであるか否か（以下、両範囲をまとめて「発明の詳細な説明の記載から、当業者において、本件補正発明の課題が解決できると認識できる範囲」という。）を検討して判断すべきものであるから（知財高裁特別部判決平成１７年（行ケ）第１００４２号参照）、以下、当該観点に立って検討をする。
（イ）特許請求の範囲の記載
　上記１．の補正後の請求項１のとおりである。
（ウ）発明の詳細な説明の記載
「【発明の詳細な説明】
【技術分野】
【０００１】
　本発明は、臭気マスキングアミン組成物、これらの調製方法、および前記臭気マスキングアミン組成物の使用に関する。
【背景技術】
【０００２】
　アミンは、多くの工業分野において、例えばポリマー合成、特にポリウレタン合成の分野における触媒または架橋剤として、あるいは潤滑剤、塗料およびその他における添加剤として、現在非常に広範に使用されている有機化合物である。
【０００３】
　有機アミンの１つの欠点は、有機アミンの臭気から生じることがあり、この臭気は多かれ少なかれ強く、多かれ少なかれ顕著であり、多かれ少なかれきわめて不快である。幾つかのアミンは、このような強いおよび／または不快な臭気を発散さえするので、密閉チャンバ内であるいは技術者向けの呼吸装置をも用いて取り扱う必要があり、これにより物流上の問題やそれに関連コストを伴う。
【０００４】
　このため例えばアミン、より具体的には第三級アミンまたは第三級アミンの混合物は考えられる利用分野を幾つか挙げると、現在、自動車用シートを製造するための、鋳型のコアおよびその他を製造するためのポリマー、例えばポリウレタンの製造で使用されている。
【０００５】
　より具体的には、鋳型のコアの製造は、「アシュランド法」（あるいは「コールドボックス法」）と呼ばれる方法を利用し、この方法では、硬化させる砂の塊にポリオール樹脂およびイソシアネートを含むバインダを添加する。次にエアゾール形態の重合剤を、バインダを含む硬化させる砂の塊に注入して、樹脂を瞬時に硬化させる。硬化は、重合剤の存在下でのポリオール樹脂とイソシアネートとの間の重付加反応によって得られる。
【０００６】
　この方法では、使用した重合剤は、アミンまたはアミンの混合物、より具体的には第三級アミンよりなり、第三級アミンは強く非常に不快な臭気を有することがほとんどである。アミンを注入して硬化が得られると、過剰なアミンは処理前に浄化気流によって除去される。微量の残留アミンが存在して、厄介な悪臭を発生することは不可避であり、この悪臭は工業現場の作業者にとってまさに有害である。
【０００７】
　悪臭化合物の大気中への放出を除去するために、鋳造工場では一般に化学洗浄が使用される。このような洗浄塔は、交換カラムにより気相からの悪臭分子を液相に変換できる吸収技術を利用している。しかし、この処理によって、これらのアミンが上流で、即ち工場で作業者がアミンを使用する前に発生する不快な臭気を除去する、またはせめて効果的に低減することは不可能である。
【０００８】
　特許出願ＪＰ８３０２３８３は、Ｃ６−Ｃ１５炭素系鎖を有する少なくとも１つのアルデヒドおよび少なくとも１つのエステルを含む芳香組成物を提案している。この組成物によって、第三級アミン、とりわけポリウレタンの製造で重合剤として使用される第三級アミンの厄介な臭気を、この着香組成物を前記アミンの臭気で汚染されたチャンバの空気中に噴霧することによりマスキングすることができる。
【０００９】
　国際出願ＷＯ２０１２／１２１３５９は、活性剤としての少なくとも１つのジカルボン酸および少なくとも１つのトリカルボン酸ならびに金属酸塩を含む脱臭組成物を提案している。この脱臭組成物は、アミン臭気の除去を可能にするとして記載されている。実際に、カルボン酸および金属酸塩は、アミン残基を中和するのに使用され、アミン残基はこのため塩化される。
【００１０】
　このため、現在知られている解決策のいずれも、上述の欠点を克服できず、アミン、特に第三級アミンが発生する不快な臭気を経済的で簡単な方法によって除去する、またはせめて効果的に低減する切実な要求が残されている。
【先行技術文献】
【特許文献】
【００１１】
【特許文献１】　特許第８３０２３８３号公報　
【特許文献２】　国際公開第２０１２／１２１３５９号　
【発明の概要】
【発明が解決しようとする課題】
【００１２】
　発明者らは今や、使用者および環境にとってきわめて不快で厄介であるアミンの臭気を完全にまたは少なくともきわめて本質的にマスキングするために、アミンへの着香が可能であることを発見した。【課題を解決するための手段】
【００１３】
　このため、本発明の第１の主題は、組成物であって、ａ）組成物の総重量に対して少なくとも９０重量％、よりなお優先的には少なくとも９５重量％、有利には少なくとも９９重量％、よりなお有利には少なくとも９９．５重量％の少なくとも１つの第一級、第二級または第三級アミンおよび
　ｂ）組成物の総重量に対して最大１０％、よりなお優先的には最大５％、有利には最大１％、よりなお有利には最大０．５％、特に好ましくは最大０．２５％、よりなお好ましくは最大０．２％、特に好ましくは最大０．１％、よりなお好ましくは最大０．０８重量％の臭気マスキング剤（ｂ）を含む組成物である。
【発明を実施するための形態】
【００１４】
  一実施形態により、本発明による組成物中に存在する前記少なくとも１つのアミンは、式（Ｉ）のアミンであり：
【００１５】
【化１】
  式中
  Ｒ１、Ｒ２およびＲ３は、同一であっても異なってもよく、水素原子、１から１２個の炭素原子を含む直鎖または分枝アルキル基および３から１２個の炭素原子を含むシクロアルキル基から互いに独立して選択され、
　Ｒ１、Ｒ２およびＲ３から選択される置換基のうち２個は、場合によりこれらが結合されている窒素原子と共に、２から１２個の炭素原子を含み、酸素、窒素、硫黄およびリンから選択される１個以上のヘテロ原子を場合により含む環構造を形成し、環構造はヒドロキシル、アルコキシ、アルキルカルボニル、アルコキシカルボニル、ベンジル、フッ素、塩素、臭素、ヨウ素、硫黄、リンおよび窒素から選択される１個以上の官能基によって場合により置換される。
【００１６】
　一実施形態により、前記臭気マスキング剤は：
　式（ｂ１）の少なくとも１つのエーテル：
【００１７】
【化２】
  （式中：
　Ｒ４およびＲ５は同一であっても異なってもよく、１から１２個の炭素原子を含む直鎖または分枝アルキル基、３から１２個の炭素原子を含むシクロアルキル基、２から１２個の炭素原子を含むアルケニル基、３から１２個の炭素原子を含むシクロアルケニル基、フェニル基およびベンジル基から互いに独立して選択され、
　Ｒ４およびＲ５は場合により、これらが結合されている酸素原子と共に、３から２０個の原子を含み、酸素、窒素、硫黄およびリンから選択される１個以上のヘテロ原子を場合により含む環構造を形成し、前記環構造がヒドロキシ、アルコキシ、アルキルカルボニル、アルコキシカルボニル、フェニル、ベンジル、フッ素、塩素、臭素、ヨウ素、硫黄、リンおよび窒素から選択される１個以上の基によって場合により置換される）、
　場合により、しかし好ましくは少なくとも１つのテルペンおよび／または１つのテルペノイド（ｂ２）ならびに
　場合により、しかし好ましくは式（ｂ３）の少なくとも１つのオキシム：
【００１８】
【化３】
  （式中：
　Ｒ６は１から２４個の炭素原子を含む直鎖または分枝アルキル基、３から２４個の炭素原子を含むシクロアルキル基、２から２４個の炭素原子を含むアルケニル基、３から２４個の炭素原子を含むシクロアルケニル基、フェニル基およびベンジル基から選択され、ならびにＲ７は水素原子および１から２４個の炭素原子を含む直鎖または分枝アルキル基、３から２４個の炭素原子を含むシクロアルキル基、２から２４個の炭素原子を含むアルケニル基、３から２４個の炭素原子を含むシクロアルケニル基、フェニル基およびベンジル基から選択され、
　Ｒ６およびＲ７は場合により、これらが結合されている炭素原子と共に、３から２０個の原子を含み、酸素、窒素、硫黄およびリンから選択される１個以上のヘテロ原子を場合により含む環構造を形成し、前記環構造がヒドロキシ、アルコキシ、フェニル、ベンジル、フッ素、塩素、臭素、ヨウ素、硫黄、リンおよび窒素から選択される１個以上の基によって場合により置換される）オキシム
　を含む。
【００１９】
　本発明の主題は、：
　ａ）組成物の総重量に対して少なくとも９０重量％、よりなお優先的には少なくとも９５％、有利には少なくとも９９％、よりなお有利には少なくとも９９．５重量％の少なくとも１つの第一級、第二級または第三級アミンおよび
　ｂ）組成物の総重量に対して最大１０％、よりなお優先的には最大５％、有利には最大１％、よりなお有利には最大０．５％、特に好ましくは最大０．２５％、よりなお好ましくは最大０．２％、特に好ましくは最大０．１％、よりなお好ましくは最大０．０８重量％の臭気マスキング剤（ｂ）を含む組成物であって、
　前記臭気マスキング剤は：　式（ｂ１）の少なくとも１つのエーテル：
【００２０】
【化４】
  （式中：
　Ｒ４およびＲ５は同一であっても異なってもよく、１から１２個の炭素原子を含む直鎖または分枝アルキル基、３から１２個の炭素原子を含むシクロアルキル基、２から１２個の炭素原子を含むアルケニル基、３から１２個の炭素原子を含むシクロアルケニル基、フェニル基およびベンジル基から互いに独立して選択され、
　Ｒ４およびＲ５は場合により、これらが結合されている酸素原子と共に、３から２０個の原子を含み、そして酸素、窒素、硫黄およびリンから選択される１個以上のヘテロ原子を場合により含む環構造を形成し、前記環構造がヒドロキシ、アルコキシ、アルキルカルボニル、アルコキシカルボニル、フェニル、ベンジル、フッ素、塩素、臭素、ヨウ素、硫黄、リンおよび窒素から選択される１個以上の基によって場合により置換される）、
　場合により、しかし好ましくは少なくとも１つのテルペンおよび／または１つのテルペノイド（ｂ２）ならびに
　場合により、しかし好ましくは式（ｂ３）の少なくとも１つのオキシム：
【００２１】
【化５】
  （式中：
　Ｒ６は１から２４個の炭素原子を含む直鎖または分枝アルキル基、３から２４個の炭素原子を含むシクロアルキル基、２から２４個の炭素原子を含むアルケニル基、３から２４個の炭素原子を含むシクロアルケニル基、フェニル基およびベンジル基から選択され、ならびにＲ７は水素原子および１から２４個の炭素原子を含む直鎖または分枝アルキル基、３から２４個の炭素原子を含むシクロアルキル基、２から２４個の炭素原子を含むアルケニル基、３から２４個の炭素原子を含むシクロアルケニル基、フェニル基およびベンジル基から選択され、
　Ｒ６およびＲ７は場合により、これらが結合されている炭素原子と共に、３から２０個の原子を含み、そして酸素、窒素、硫黄およびリンから選択される１個以上のヘテロ原子を場合により含む環構造を形成し、前記環構造がヒドロキシ、アルコキシ、フェニル、ベンジル、フッ素、塩素、臭素、ヨウ素、硫黄、リンおよび窒素から選択される１個以上の基によって場合により置換される）、
　を含む。
【００２２】
　別の実施形態により、前記臭気マスキング剤は、
　ａ）組成物の総重量に対して少なくとも９０重量％、よりなお優先的には少なくとも９５％、有利には少なくとも９９％、よりなお有利には少なくとも９９．５重量％の少なくとも１つの第一級、第二級または第三級アミンおよび
　ｂ）組成物の総重量に対して最大１０％、よりなお優先的には最大５％、有利には最大１％、よりなお有利には最大０．５％、特に好ましくは最大０．２５％、よりなお好ましくは最大０．２％、特に好ましくは最大０．１％、よりなお好ましくは最大０．０８重量％の臭気マスキング剤（ｂ）を含み、
　前記臭気マスキング剤は：
　上で定義したような、式（ｂ１）の少なくとも１つのエーテル、
　少なくとも１つのテルペンおよび／または１つのテルペノイド（ｂ２）ならびに
　場合により、しかし好ましくは、上で定義したような、式（ｂ３）の少なくとも１つのオキシム
　を含む。
【００２３】
　また別の実施形態により、前記臭気マスキング剤は：
　ａ）組成物の総重量に対して少なくとも９０重量％、よりなお優先的には少なくとも９５％、有利には少なくとも９９％、よりなお有利には少なくとも９９．５重量％の少なくとも１つの第一級、第二級または第三級アミンおよび
　ｂ）組成物の総重量に対して最大１０％、よりなお優先的には最大５％、有利には最大１％、よりなお有利には最大０．５％、特に好ましくは最大０．２５％、よりなお好ましくは最大０．２％、特に好ましくは最大０．１％、よりなお好ましくは最大０．０８重量％の臭気マスキング剤（ｂ）を含み、
  前記臭気マスキング剤は：
  上で定義したような、式（ｂ１）の少なくとも１つのエーテル、
  少なくとも１つのテルペンおよび／または１つのテルペノイド（ｂ２）ならびに
  上で定義したような、式（ｂ３）の少なくとも１つのオキシム
  を含む。
【００２４】
　本発明の説明において、別途特に指摘しない限り、アルキル基、シクロアルキル基、アルケニル基およびシクロアルケニル基は、ヒドロキシ、アルコキシ、アルキルカルボニル、アルコキシカルボニル、フェニル、ベンジル、フッ素、塩素、臭素、ヨウ素、硫黄、リンおよび窒素から選択されるならびに好ましくはヒドロキシ、アルコキシ、フェニル、ベンジル、フッ素、塩素、臭素、リンおよび窒素から選択される１個以上の基によって場合により置換されてもよい。
【００２５】
　さらに、１から６個の炭素原子、よりなお好ましくは１から４個の炭素原子を含むアルキル基およびアルコキシ基が好ましい。
【００２６】
　好ましい一実施形態により、Ｒ１基、Ｒ２基およびＲ３基の少なくとも１つが、水素原子を表さないのは、本発明がアンモニアに着香することを目的とするのではなく、第一級、第二級または第三級アミンに着香することを目的とするためである。
【００２７】
　本発明の別の好ましい実施形態により、Ｒ１基、Ｒ２基およびＲ３基の少なくとも２つが水素原子を表さないのは、本発明が第二級または第三級アミンに着香することを目的とするためである。
【００２８】
　本発明のまた別の好ましい実施形態により、Ｒ１基、Ｒ２基およびＲ３基のいずれも水素原子を表さないのは、本発明が第三級アミンに着香することを目的とするためである。
【００２９】
　好ましい一実施形態により、本発明は、先に定義したような式（Ｉ）の少なくとも１つのアミンおよび先に定義したような臭気マスキング剤を上で示す割合で含む組成物に関する。
【００３０】
　このため本発明は、アミン、好ましくは第一級、第二級または第三級アミン、好ましくは第二級または第三級アミン、なおより好ましくは第三級アミンの、しかしまたアルキルアルカノールアミン（頭字語「ＡＡＡ」によって呼ばれる。）およびまた２、３または４個の窒素原子を含むアミン（名称「ポリアミン」によって呼ばれる。）の臭気をマスキングすることが可能にする簡単で、効果的で、経済的な手段を提供する。
【００３１】
　本発明で使用され得る第一級アミンとしては、非限定的に、プロパン−１−アミン、プロパン−２−アミン、シクロペンタンアミン、２−メチルプロパン−２−アミン、フェニルメタンアミン、２−アミノペンタン、３−アミノペンタン、１，２−ジメチルプロピルアミン、ヘキシルアミン、１，３−ジメチルブチルアミン、ｎ−ヘプチルアミン、ｎ−オクチルアミン、２−アミノオクタン、３，３，５−トリメチルシクロヘキシルアミン、エチルアミン（ＭＥＡ）、イソプロピルアミン、ｓｅｃ−ブチルアミン、３−エトキシプロピルアミン、３−（２−メトキシエトキシ）プロピルアミン、３−ブトキシプロピルアミン、３−（２−エチルヘキシルオキシ）プロピルアミン、３−イソプロポキシプロピルアミンおよび３−メトキシプロピルアミンならびに任意の割合でのこれらの２つ以上の混合物が挙げられる。
【００３２】
　本発明で使用され得る第二級アミンの例としては、非限定的に、Ｎ−メチルエタンアミン、Ｎ−エチルエタンアミン、Ｎ−メチルペンタン−３−アミン、Ｎ−３−ジメチルブタン−２−アミン、ジ（ｓｅｃ−ブチル）アミン、ジアミルアミン、イソプロピルベンジルアミン、ジヘキシルアミン、ジエチルアミン、ジイソプロピルアミン、Ｎ−イソプロピルメチルアミン、Ｎ−ブチルメチルアミン、Ｎ−（ｓｅｃ−ブチル）メチルアミン、Ｎ−イソブチルメチルアミン、Ｎ−（ｔｅｒｔ−ブチル）メチルアミン、Ｎ−メチルペンチルアミン、Ｎ−ヘキシルメチルアミン、Ｎ−メチルシクロヘキシルアミン、Ｎ−ヘプチルメチルアミン、Ｎ−オクチルメチルアミン、Ｎ−エチルメチルアミン、Ｎ−エチルプロピルアミン、Ｎ−エチルイソプロピルアミン、Ｎ−ブチルエチルアミン、Ｎ−（ｓｅｃ−ブチル）エチルアミン、Ｎ−エチルシクロヘキシルアミンおよびＮ−エチルベンジルアミンならびに任意の割合でのこれらの２つ以上の混合物が挙げられる。
【００３３】
　本発明で使用され得る第三級アミンの例としては、非限定的に、トリメチルアミン、Ｎ−メチルアジリジン、ジメチルエチルアミン（ＤＭＥＡ）、Ｎ−メチルアゼチジン、Ｎ−エチルアジリジン、ジエチルメチルアミン（ＤＥＭＡ）、ジメチルイソプロピルアミン（ＤＭＩＰＡ）、ジメチル（ｎ−プロピル）アミン（ＤＭＰＡ）、Ｎ−（ｎ−プロピル）アジリジン、Ｎ−イソプロピルアジリジン、Ｎ−エチルアゼチジン、Ｎ−メチルピロリジン、Ｎ，Ｎ，Ｎ’，Ｎ’−テトラメチルジアミノメタン、トリエチルアミン（ＴＥＡ）、メチルエチル（ｎ−プロピル）アミン、メチルエチルイソプロピルアミン、ジメチル（ｎ−ブチル）アミン、ジメチル（ｓｅｃ−ブチル）アミン、ジメチルイソブチルアミン、ジメチル（ｔｅｒｔ−ブチル）アミン、Ｎ−エチルピロリジン、Ｎ−メチルピペリジン、ヘキサメチレンテトラミン、ジメチルピペラジン、Ｎ，Ｎ，Ｎ’，Ｎ’−テトラメチルジアミノエタン、ジメチルペンチルアミン、メチルエチルブチルアミン、ジエチルアミン、ジプロピルメチルアミン、Ｎ−プロピルピロリジン、Ｎ−エチルピペリジン、ジメチルヘキシルアミン、メチルエチルペンチルアミン、ジエチルブチルアミン、ジプロピルエチルアミン、Ｎ−ブチルピロリジン、Ｎ−プロピルピペリジン、ジエチルピペラジン、ジメチルヘプチルアミン、メチルエチルヘキシルアミン、ジエチルペンチルアミン、トリプロピルアミン、Ｎ−ペンチルピロリジン、Ｎ−ブチルピペリジン、ジメチルオクチルアミン、メチルエチルヘプチルアミン、ジエチルヘキシルアミン、エチルプロピルペンチルアミン、ジプロピルブチルアミン、Ｎ−ペンチルピペリジンおよびエチルジイソプロピルアミンならびに任意の割合でのこれらの２つ以上の混合物が挙げられる。
【００３４】
　本発明で使用され得る式（Ｉ）のアルキルアルカノールアミンの例としては、非限定的に、アミノプロピルジエタノールアミン、２，２´−（ヘプチルアミノ）ビスエタノール、アラニノール、２−（エチルアミノ）エタノール、２−イソプロピルアミノエタノール、２−ブチルアミノエタノール、２−ベンジルアミノエタノール、２−（３−アミノプロピルアミノ）エタノール、２−オクチルアミノエタノール、２−ｓｅｃ−ブチルアミノエタノール、Ｎ−ブチルジエタノールアミン、Ｎ−ｓｅｃ−ブチルジエタノールアミン、２−（ジブチルアミノ）エタノール、Ｎ−ベンジル−Ｎ−メチルエタノールアミン、Ｎ−ヘプチルジエタノールアミン、Ｎ−オクチルジエタノールアミンならびに任意の割合でのこれらの２つ以上の混合物が挙げられる。
【００３５】
　本発明で使用され得るポリアミンの例としては、非限定的に、テトラメチルプロピレンジアミン（ＴＭＰＤＡ）、ジエチルアミノプロピルアミン（ＤＥＡＰＡ）、ジメチルアミノプロピルアミノプロピルアミン（ＤＭＡＰＡＰＡ）、Ｎ−メチル−１，３−ジアミノプロパン、Ｎ−プロピル−１，３−プロパンジアミン、Ｎ−イソプロピル−１，３−プロパンジアミン、Ｎ，Ｎ，Ｎ´−トリメチル−１，３−プロパンジアミン、１−（３−アミノプロピル）−２−ピロリジン、３−モルホリノプロピルアミン、１−（３−アミノプロピル）ピペリジン、１−（３−アミノプロピル）−２−ピペコリン、Ｎ−シクロヘキシル−１，３−プロパンジアミン、３−（ジブチルアミノ）プロピルアミン、２−（３−アミノプロピルアミノ）エタノール、Ｎ−（アミノプロピル）ジエタノールアミン（ＡＰＤＥＡ）、３−（２−アミノエチル）アミノプロピルアミン、ビス（３−アミノプロピル）アミン、メチル−ビス−（３−アミノプロピル）アミン、Ｎ−（３−アミノプロピル）−１，４−ジアミノブタン、ペンタメチルジプロピレントリアミン、１，２−ビス（３−アミノプロピルアミノ）エタン、Ｎ，Ｎ´−ビス（３−アミノプロピル）−１，３−プロパンジアミン、１，４−ビス−（３−アミノプロピル）ピペラジンならびに任意の割合でのこれらの２つ以上の混合物が挙げられる。
【００３６】
　本発明の組成物で使用される最も特に好ましいアミンは、ＤＭＥＡ、ＤＭＩＰＡ、ＤＥＭＡ、ＤＭＰＡおよびＴＥＡならびに任意の割合でのこれらの２つ以上の混合物から選択される第三級アミンである。ＤＭＥＡ、およびＤＭＥＡと式（Ｉ）の１つ以上の他のアミンとの組合せは、最も特に好ましい。
【００３７】
　本発明により、定義したばかりであるような、第一級、第二級および／または第三級アミン、特に式（Ｉ）のアミン、任意の割合でのこれの２つ以上の混合物の臭気を現在ではマスキングすることが可能である。好ましくは、臭気マスキング剤は着香されるアミンと反応してはならず、一般に、とりわけ貯蔵条件下でアミン官能基と化学的に反応しない官能基を持つ臭気マスキング剤から選択される。このため酸、エステル、アルデヒドおよび他の官能基を持つ化合物を有さない臭気マスキング剤が好ましい。しかし、このような臭気マスキング剤は、臭気マスキング剤の総重量に対して、限界値を除いて、０．５重量％を超えない、好ましくは０．４重量％を超えない、またよりなお優先的には０．２重量％を超えない割合で、それにもかかわらず使用することができる。さらに、長期間にわたって安定であり、１か月を超える、好ましくは３か月を超える、優先的には６か月を超える、またより優先的には１２か月を超える最低保存寿命を有する組成物が好ましい。以下で指摘するように、アミンの臭気は、式（ｂ１）の少なくとも１つのエーテル、場合により、しかし好ましくは少なくとも１つのテルペンおよび／または１つのテルペノイド（ｂ２）ならびに場合により、しかし好ましくは少なくとも１つのオキシム（ｂ３）を含む臭気マスキング剤によって効果的にマスキングされる。
【００３８】
　臭気マスキング剤の構成成分として使用され得るエーテル（ｂ１）の例としては、非限定的に、フェノキシベンゼン、ジフェニルエーテル、メトキシナフタレン、１−メトキシ−４−メチル−（４−メチルアニソール）、２−（２，４−ジメチルシクロヘキサ−３−エン−１−イル）−５−メチル−（１−メチルプロピル）−１，３−ジオキサン、メトキシメタン、メトキシエタン、エトキシエタン、２−エトキシプロパン、オキサシクロプロパン、オキサシクロペンタン、オキサシクロヘキサン、１，４−ジオキサシクロヘキサン、ジメトキシメタン、ジイソプロピルエーテル、テトラヒドロフラン、１，４−ジオキサン、ピラン、ジヒドロピラン、フェニルピラン、ジヒドロフェニルピランならびにフェニルおよびアルキル（例えばメチル、エチル、プロピルまたはブチル）ならびにその他によって置換されたピランおよびジヒドロピラン、ならびに任意の割合でのこれらの２つ以上の混合物が挙げられる。
【００３９】
　臭気マスキング剤の構成成分として使用され得るテルペンおよびテルペノイド（ｂ２）としては、非限定的に、テルピネン、ミルセン、リモネン、テルピノレン、ピネン、サビネン、カンフェン、オシメン、ユーカリプトール、シトラール、メントール、カンファー、メントン、テルピネオール、イソボルネオール、ネロール、シトロネラール、シトロネロール、リナロール、ゲラニオールおよびミルセノール、ならびに任意の割合でのこれらの２つ以上の混合物、またテルペンおよび／またはテルペノイドをベースとする精油、とりわけこれらの構成成分を含むものが挙げられる。
【００４０】
　臭気マスキング剤（ｂ）は、１つ以上のオキシム（ｂ３）、最も具体的にはアルドキシムまたはケトキシム、好ましくはケトキシムも含んでもよい。オキシム（ｂ３）のうち、非限定的な例として、Ｒ７が水素原子またはメチル、エチル、ｎ−プロピル、イソプロピル、ｎ−ブチル、ｓｅｃ−ブチルおよびｔｅｒｔ−ブチルから選択される基を表し、そしてＲ６が、１から１２個の炭素原子を、好ましくは１から８個の炭素原子を含む直鎖または分枝アルキル基から、よりなお好ましくはメチル、エチル、ｎ−プロピル、イソプロピル、ｎ−ブチル、ｓｅｃ−ブチル、ｔｅｒｔ−ブチル、ｎ−ペンチル、イソペンチル、ｔｅｒｔ−ペンチル、ネオペンチルおよび直鎖または分枝ヘキシル基から選択される、オキシムが挙げられる。
【００４１】
　好ましい一態様により、オキシム（ｂ３）の非限定的な例は、シンナムアルデヒドオキシム、２−メチルブタナールオキシム、３−メチルブタナールオキシム、メチルエチルケトキシム、３−ヘプタノンオキシム、５−メチル−３−ヘプタノンオキシム、グリオキシム、ジメチルグリオキシム、ジアミノグリオキシム、プラリドキシム、オビドキシム、ペリラルチン、アソキシムクロリドおよびサリチルアルドキシム、ならびに任意の割合でのこれらの２つ以上の混合物を含む。
【００４２】
　範囲という場合、「…から…」に及ぶという型の表現は、範囲の限界値を含む。これに対して、「…と…の間の」という型の表現は、範囲の限界値を除外する。値閾値という場合、「最大で」または「最小で」という表現はそれぞれ、最大値および最小値を除外する。別途指摘しない限り、パーセンテージは重量値として示す。
【００４３】
　臭気マスキング剤（ｂ）の各構成成分（ｂ１）、（ｂ２）および（ｂ３）のそれぞれの量は、構成成分（ｂ１）、（ｂ２）および（ｂ３）の性質に従ってならびに臭気のマスキングが望まれる１つまたは複数のアミンの性質に従って、広範な割合の範囲内で変動し得る。
【００４４】
　好ましい一実施形態により、本発明による組成物は、臭気マスキング剤の総重量に対する重量％として：
　１％から１００％、好ましくは２％から１００％、好ましくは５％から１００％、よりなお好ましくは１０％から１００％の少なくとも１つのエーテル（ｂ１）、
　０％から９９％、好ましくは１％から９９％、好ましくは２％から９９％、好ましくは５％から９９％、よりなお好ましくは１０％から９９％の少なくとも１つのテルペンおよび／またはテルペノイド（ｂ２）、
　０から５０％、好ましくは０から２０％、有利には０から１０％の少なくとも１つのオキシム（ｂ３）および　場合により、１００％まで適量の、１つ以上の添加剤
　を含む。
【００４５】
　より好ましい一実施形態により、本発明による組成物は、臭気マスキング剤の総重量に対する重量％として：
　１％から９９％、好ましくは２％から９９％、好ましくは５％から９９％、よりなお好ましくは１０％から９９％の少なくとも１つのエーテル（ｂ１）、
　１％から９９％、好ましくは２％から９９％、好ましくは５％から９９％、よりなお好ましくは１０％から９９％の少なくとも１つのテルペンおよび／またはテルペノイド（ｂ２）、
　０％から１０％、好ましくは０％から５％、好ましくは０％から２％、よりなお好ましくは０％から１％の少なくとも１つのオキシム（ｂ３）および　場合により、１００％まで適量の、１つ以上の添加剤
　を含む。
【００４６】
　特に好ましい一実施形態により、本発明による組成物は、臭気マスキング剤の総重量に対する重量％として：
　１％から９８．９％、好ましくは２％から９８．９％、好ましくは５％から９８．９％、よりなお好ましくは１０％から９８．９％の少なくとも１つのエーテル（ｂ１）、
　１％から９８．９％、好ましくは２％から９８．９％、好ましくは５％から９８．９％、よりなお好ましくは１０％から９８．９％の少なくとも１つのテルペンおよび／またはテルペノイド（ｂ２）、
　０．１％から１０％、好ましくは０．１％から５％、好ましくは０．１％から２％、よりなお好ましくは０．１％から１％の少なくとも１つのオキシム（ｂ３）および
　場合により、１００％まで適量の、１つ以上の添加剤
　を含む。
【００４７】
　別の特に好ましい実施形態により、本発明による組成物は、臭気マスキング剤の総重量に対する重量％として：
　１％から９８％、好ましくは２％から９８％、好ましくは５％から９８％、よりなお好ましくは１０％から９８％の少なくとも１つのエーテル（ｂ１）、
　１％から９８％、好ましくは２％から９８％、好ましくは５％から９８％、よりなお好ましくは１０％から９８％の少なくとも１つのテルペンおよび／またはテルペノイド（ｂ２）、
　１％から１０％、好ましくは１％から５％、よりなお好ましくは１％から２％の少なくとも１つのオキシム（ｂ３）および
　場合により、１００％まで適量の、１つ以上の添加剤
　を含む。
【００４８】
　臭気マスキング剤（ｂ）のうち、さらに、少なくとも２つの異なるエーテルを含むもの、よりなお好ましくは少なくとも３つの異なるエーテルを含むものが好ましい。
【００４９】
　マスキング剤（ｂ）中に存在し得る添加剤は、当業者に公知であるあらゆる種類のもの、有利には当業者に公知であり、想定する用途に適合できるものであってよい。
【００５０】
　臭気マスキング剤（ｂ）で使用され得る添加剤の非限定的な例としては、溶媒、顔料、染料、保存料、酸化防止剤、香料およびその他が含まれる。
【００５１】
　臭気マスキング剤中に場合により存在する添加剤は、アルデヒド、ケトン、エステルおよびアルコールから選択される１つ以上の化学官能基を含み得る。好ましい一実施形態により、添加剤は、１つ以上のエステル官能基を含むものから選択される。少なくとも１つのアルコール官能基を含む添加剤は好ましくない。
【００５２】
　アルデヒドまたはケトン型の添加剤のうち、非限定的に、ゲラニアール、ネラール、シトロネラール、ダマスコン、ダマセノン、イオノン、イリソン、メチルイオノン、フランビノン、ダイナスコン、メントン、イソメントン、フラボノンおよびこれらの混合物が挙げられる。
【００５３】
　エステル型の添加剤のうち、非限定的に、飽和または不飽和Ｃ２−Ｃ２０酸エステル、例えばエチル、プロピル、ブチル、ペンチル、２−メチルブチル、イソアミル、ヘキシル、ベンジル、フェニルエチル、メンチルまたはカルビルアセテート、プロピオネート、ブチレート、メチルブチレート、ペンタノエート、ヘキサノエート、ヘプタノエート、カプロエート、オレエート、リノレエートまたはリノレネート、しかしまたオルトフタレート、例えばジエチルオルトフタレート、シトレート、例えばトリエチルシトレート、マロネート、例えばジエチルマロネートおよびその他ならびに任意の割合でのこれらの２つ以上の混合物が挙げられる。
【００５４】
　アルコール型の添加剤のうち、非限定的に、モノアルコールであって、１から３０個の炭素原子、好ましくは６から２０個の炭素原子、よりなお好ましくは８から１１個の炭素原子を含み、前記炭素原子が二重結合の形態の１つ以上の不飽和を場合により含む直鎖または分枝鎖を形成し、場合により飽和または完全もしくは部分不飽和５または６員環構造を含み、メントール、ネオメントール、フェニルエチルアルコール、ベンジルアルコール、シトロネロール、ジヒドロミルセノール、ジヒドロテルピネオール、リナロール、エチルリナロール、テトラヒドロリナロール、テトラヒドロミルセノール、ゲラニオール、ネロールおよびその他から選択されるモノアルコールならびに任意の割合でのこれらの２つ以上の混合物が挙げられる。
【００５５】
　このように定義した臭気マスキング剤（ｂ）によって、アミンおよび特に第三級アミンの化学構造を修飾することなく、これらのアミンの不快な臭気を特に効果的にマスキングする利点が得られる。さらに、先に指摘したように、臭気マスキング剤は着香されるアミンと反応してはならず、また本発明により臭気マスキング剤が包含されている組成物中で、長期にわたって安定でなければならない。
【００５６】
　本発明の別の主題は、少なくとも１つのアミン、好ましくは式（Ｉ）のアミンを少なくとも１つの臭気マスキング剤（ｂ）と混合する工程を含む、前記臭気マスキングアミン組成物を調製する方法である。
【００５７】
　混合は、当業者に公知のいずれの方法によっても、とりわけ少なくとも１つの臭気マスキング剤（ｂ）を場合により、しかし有利には液体形態で室温にてまたは加熱して、撹拌しながらまたは撹拌せずに式（Ｉ）の少なくとも１つのアミン中に、当業者の公知のいずれの方法によっても、例えば非限定的に、計量ポンプ、貯蔵タンク中へのディップパイプ、噴霧その他によって導入して実施することができる。
【００５８】
　本発明による組成物は、例えば大気圧下０℃と１００℃の間、好ましくは室温とおよそ８０℃の間の温度にて調製することができる。調製はまた、圧力または負圧下で上記の範囲内の温度にて実施することができる。
【００５９】
　本発明による組成物は、単独または不活性気体と組合せて、液体または気体形態であり、上記のような所定の濃度範囲であってよい。不活性気体は、窒素、空気または二酸化炭素であってよい。好ましくは、本発明による組成物は、室温および周囲圧にて液体形態である。
【００６０】
　一実施形態により、先に定義したような、式（Ｉ）の少なくとも１つのアミンおよび少なくとも１つの臭気マスキング剤（ｂ）を含む本発明による組成物は、使用前に１つ以上の溶媒によって希釈してもよい。使用され得る希釈溶媒は、当業者に公知のいずれの種類でもよく、例えば溶媒および水性溶媒、有機溶媒または水性−有機溶媒の混合物を含み得る。さらに、想定する用途に適合できる溶媒が好ましい。特に好ましい実施形態において、溶媒は、水、エタノール、ｎ−プロパノール、イソプロパノール、ｎ−ブタノール、イソブタノールおよび任意の割合でのこれらの２つ以上の混合物から選択される。最も具体的な好ましい態様によれば、本発明による組成物は水で希釈され、特に有利な実施形態では、希釈水は、式（Ｉ）のアミン中に存在する水、例えば式（Ｉ）のアミンの合成中に存在するまたは生成される水である。
【００６１】
　驚くべきことに、少なくとも１つの臭気マスキング剤（ｂ）を式（Ｉ）の少なくとも１つのアミン中に添加することにより、前記少なくとも１つのアミンから厄介なまたは非常に不快な臭気を全体として満足に低減する、または除去することさえ可能となることが見出されている。
【００６２】
　このため、別の主題により、本発明は、少なくとも１つのアミン、好ましくは、式（Ｉ）が先に定義された通りである、式（Ｉ）の少なくとも１つのアミン、好ましくは式（Ｉ）の少なくとも１つの第二級または第三級アミン、よりなお好ましくは式（Ｉ）の少なくとも１つの第三級アミンの臭気をマスキングするために、少なくとも１つのエーテル、場合により、しかし好ましくは少なくとも１つのテルペンおよび／または１つのテルペノイドならびに場合により、しかし好ましくは少なくとも１つのオキシムを含む少なくとも１つの臭気マスキング剤（ｂ）の使用に関する。
【００６３】
　本主題の好ましい一実施形態によれば、本発明は、少なくとも２つのアミンの、好ましくは先に定義したような式（Ｉ）の少なくとも２つの第三級アミンの混合物の臭気をマスキングするための、先に定義したような少なくとも１つの臭気マスキング剤（ｂ）の使用に関する。
【００６４】
　本発明により定義したばかりの、式（Ｉ）の少なくとも１つのアミンおよび少なくとも１つの臭気マスキング剤（ｂ）を含む組成物は、多くの用途に使用することができ、一般に臭気マスキング剤を含まないいずれのアミン組成物とも同様に使用することができる。実際に、別の利点として、本発明の組成物は安定であり、本組成物に含まれるアミンは、分解、例えば特性の消失、黄変その他が起きない。
【００６５】
　このため本発明による組成物は、臭気マスキング剤を含まないその他のアミンまたはアミン混合物と同様に使用することができ、本発明の組成物は、臭気マスキング剤（ｂ）を含まない同じアミンと比べ臭気の改善が認められる。
【００６６】
　本発明による組成物の考えられる用途の非限定的な例として、アミンがファインケミストリーにおける、特に医薬品および農芸化学用製品の合成中間体、例えば化学品の合成中の掃酸剤として、ポリマー調製用の触媒および架橋剤として、潤滑剤用および塗料用の添加剤ならびにその他として使用される用途が挙げられる。
【００６７】
　本発明による組成物の使用の最も具体的な好ましい例としては、とりわけ自動車用シートを製造するための、または最も具体的には鋳型、とりわけ例えば文献ＥＰ−Ａ−１９５５７９２に記載されている「アシュランド」法による、鋳型のコアを製造するためのポリマー、例えばポリウレタンの製造が挙げられる。
【００６８】
　実際に、鋳造分野で本発明による組成物を使用する間に、重合剤として使用する前記組成物は、化合物ならびに前記「アシュランド」法または「コールドボックス法」と呼ばれる方法で用いる条件と適合できることが見出されている。臭気マスキング剤によって、鋳型の形成に必要な各種の化合物と反応することなく、使用したアミンの不快臭気を特に効果的にマスキングすることが可能となる。
【００６９】
　特に本発明による組成物は、アミン、とりわけ文献ＥＰ−Ａ−１９５５７９２に記載されるような使用した第三級アミンと同じ反応条件下で、即ち気化形態で、そして通例、不活性気体との混合物中での気化形態で使用することができる。
【００７０】
　このため別の主題により、本発明は、少なくとも以下の工程を含む鋳型を製造する方法に関する：
ａ）バインダおよび好ましくは砂である骨材を含む混合物を調製する工程、ｂ）工程ａ）で得た混合物を型内で成形する工程、
ｃ）成形した混合物を、液体形態または気体形態の、好ましくは気体形態の、場合により不活性媒体を含む、本発明による少なくとも１つの組成物と接触して配置する工程、ｄ）硬質、中実および架橋形態の鋳型を得るために、バインダ／骨材混合物を架橋する工程ならびにｅ）鋳型を回収する工程。
【００７１】
　用語「鋳型」は、鋳造コア、即ち鋳型の成形片にまたはこれのアンダーカット区域に内部凹部を生成できるようにする、成形片も示す。
【００７２】
　場合により工程ｃ）で使用される不活性媒体は、有利には不活性気体または不活性気体の混合物、例えば窒素および／または二酸化炭素である。
【００７３】
　上記の鋳型を作製する方法において、本発明の組成物は、少なくとも１つの好ましくは第三級アミン、最も特に好ましくは少なくとも２つのアミンの混合物であって、アミンの少なくとも１つまたはアミンの少なくとも２つさえが第三級アミンである混合物、少なくとも１つのマスキング剤（ｂ）および場合により水を含み、水が存在する場合、水の含有率は、総重量（水、アミンおよび臭気マスキング剤）に対して、好ましくは１％を超えず、よりなお好ましくは０．５重量％を超えない。
【００７４】
　また別の態様により、本発明は、上記の方法によって実質的に得た鋳型に関し、より具体的には、先に定義したような式（Ｉ）の少なくとも１つのアミンおよび先に定義したような少なくとも１つの臭気マスキング剤（ｂ）を含む本発明による組成物によって、骨材と混合したバインダを架橋することによって得た鋳型に関する。
【００７５】
　以下の実施例は、本発明を限定することなく、本発明を例証する。
【実施例】
【００７６】
　［実施例１］
　臭気マスキング第三級アミンをベースとする組成物
　マスキング剤として作用する、即ち第三級アミンの臭気の改善、低減または除去を可能にする芳香組成物をキャラクタリゼーションするために、嗅覚試験手順および安定性試験を開発した。
【００７７】
　操作条件：
　この嗅覚試験を行うために、１ｍｌの量の組成物（アミンおよび臭気マスキング剤）を容器に入れる。次に、組成物を含有する容器を１０リットルデシケーターに入れる。
【００７８】
　デシケーターを室温（２５℃）にて屋外に放置する。完全蒸発後（およそ３０分）、１０名で構成されるパネルが組成物を吸入して臭気を段階評価するする（嗜好性試験）。
【００７９】
　パネリストが組成物を嗅ぎ、組成物の臭気を記録する。パネリストは、自分の好みに応じて、試験する各組成物に１つ以上の×を割り当てる。パネリストが付けた×の数は、１（最も不快な製品）から３（最も快適な製品）の範囲に及ぶ。
【００８０】
　安定性試験では、組成物を１か月から１年超の範囲に及ぶ期間、室温（２５℃）にて保存する。
【００８１】
　試験片の調製：　各組成物は、アルケマが提供する第三級アミンである、ジメチルエチルアミン（ＤＭＥＡ）を用いて調製する。ＤＭＥＡは、９９％以上の純度を有する。
【００８２】
　参照サンプルは、純粋なＤＭＥＡを用いて製造し、Ａ１と名付ける。サンプルの総重量に対して９９．９２重量％のＤＭＥＡおよびサンプルの総重量に対して０．０８重量％の芳香組成物を含む３つのサンプルも調製する。サンプルをＡ２、Ａ３およびＡ４と名付ける。
【００８３】
　サンプルＡ２、Ａ３およびＡ４それぞれのマスキング剤の性質を以下に示し、パーセンテージをマスキング剤の総重量に対する重量で表す：
　
サンプルＡ２
　３０％から７０％のエステル（２−ｔｅｒｔ−ブチルシクロヘキシルアセテート、３−メチルブチルブチレート、２−プロピレン−３−シクロヘキシルプロパノエート、４−ウンデカノリド、イソペンチルアセテート）、
　１５％から３５％のケトン（５−メチル−３−ヘプタノン、１−シクロオクタ−３−エニルエタンオン）、
　１５％から３５％のエーテル（１，３，４，６，７，８−ヘキサヒドロ−４，６，６，７，８，８−ヘキサメチルインデノ［５，６−ｃ］ピラン）、　ここで構成成分の和は、マスキング剤の１００重量％に相当する。
【００８４】
　
サンプルＡ３
　３０％から５０％のエステル（３ａ，４，５，６，７，７ａ−ヘキサヒドロ−４，７−メタノ−１−インデン−５（６）−イルアセテート、メチルベンゾエート、２−アセチル−１，２，３，４，５，６，７，８−オクタヒドロ−２，３，８，８−テトラメチルナフタレン）、
　３０％から５０％のケトンおよびアルデヒド（３−メチル−４−（２，６，６−トリメチル−２−シクロヘキセン−１−イル）−３−ブテン−２−オン、２−メチルウンデカナール、ヘプタン−２−オン、１−（２，６，６−トリメチルシクロヘキサ−２−エン−１−イル）ペンタ−１−エン−３−オン、３−フェニル−２−プロペナール、３−フェニルブタナール）、
　１％から１０％のアルコール（３，７−ジメチルオクタン−３−オール、３，７−ジメチル−２，６−オクタジエン−１−オール）、
　１％から１０％のエーテル（２−メトキシナフタレン）、
　ここで構成成分の和は、マスキング剤の１００重量％に相当する。
【００８５】
　
サンプルＡ４
　１０％から９８％のエーテル（フェノキシベンゼン、２−メトキシナフタレン）、
　１０％から９８％のテルペン／テルペノイド（リモネン、ユーカリプトール）、
　１％から１０％のオキシム（５−メチル−３−ヘプタノンオキシム）、
　０．１％から１％の添加剤、主にエステル（トリエチルシトレート、イソプロピルテトラデカノエート）、
　ここで構成成分の和は、マスキング剤の１００重量％に相当する。
【００８６】
　結果： 
　実施例１の結果を以下の表１に再現する：
【００８７】
【表１】
【００８８】
　本発明の実施例１では、本発明による組成物Ａ４の臭気の臭覚は、サンプルＡ１、Ａ２およびＡ３よりも著しく心地良いものである。
【００８９】
　さらにサンプルＡ４は、室温で３ケ月間保存した後でも無色で安定した状態を保っているが、サンプルＡ２およびＡ３は不安定であり、室温で１ケ月間保存した後では黄変する。
【００９０】
　［実施例２］
　本発明による臭気マスキング第三級アミンをベースとする組成物
　下に示すように、マスキング剤の含有量に関してサンプルＡ４とは異なる、２つの新たなサンプルＡ５およびＡ６を調製するために、実施例１の操作手順を再現する：
　
サンプルＡ４
　ＤＭＥＡ：サンプルの総重量に対して９９．９２重量％および
　臭気マスキング剤ＯＭＡ−Ｂ１：サンプルの総重量に対して０．０８重量％。
【００９１】
　
サンプルＡ５
　ＤＭＥＡ：サンプルの総重量に対して９９．８６重量％および
　臭気マスキング剤ＯＭＡ−Ｂ１：サンプルの総重量に対して０．１４重量％。
【００９２】
　
サンプルＡ６
　ＤＭＥＡ：サンプルの総重量に対して９９．７５重量％および
　臭気マスキング剤ＯＭＡ−Ｂ１：サンプルの総重量に対して０．２５重量％。
【００９３】
　結果：
　実施例２の結果を以下の表２に再現する：
【００９４】
【表２】
【００９５】　表２の結果は、本発明による組成物Ａ４、Ａ５およびＡ６の臭気の臭覚がサンプルＡ１よりも著しく心地良いものであることと、臭気マスキング剤の用量の増加によって、組成物の心地良い臭覚がやや低下することを示している。
【００９６】
　さらにサンプルＡ４、Ａ５およびＡ６は、ＤＭＥＡ中に包含されたマスキング剤の量と無関係に、室温で３ケ月間保存した後では無色で安定した状態を保っている。」
（エ）本件補正発明の解決しようとする課題について
　本願明細書の【００１２】の記載を含む発明の詳細な説明の記載からみて、本件補正発明の解決しようとする課題は『使用者および環境にとってきわめて不快でやっかいであるアミンの臭気を完全にまたは少なくともきわめて本質的にマスキングするための組成物の提供』にあるものと認められる。
　
（オ）本願明細書の具体例の記載について
　本願明細書の【００８２】には「サンプルの総重量に対して９９．９２重量％のＤＭＥＡおよびサンプルの総重量に対して０．０８重量％の芳香組成物を含む３つのサンプル」を調製したことが記載され、その【００８３】〜【００８５】には、サンプルＡ２（比較試験）、サンプルＡ３（比較試験）、及びサンプルＡ４（本発明による）の各々において、臭気マスキング剤として、ＯＭＡ−Ａ２、ＯＭＡ−Ａ３、及びＯＭＡ−Ｂ１の各々が用いられ、サンプルＡ４（本発明による）で用いられた「ＯＭＡ−Ｂ１」の組成が「１０％から９８％のエーテル（フェノキシベンゼン、２−メトキシナフタレン）、１０％から９８％のテルペン／テルペノイド（リモネン、ユーカリプトール）、１％から１０％のオキシム（５−メチル−３−ヘプタノンオキシム）、０．１％から１％の添加剤、主にエステル（トリエチルシトレート、イソプロピルテトラデカノエート）、ここで構成成分の和は、マスキング剤の１００重量％に相当する。」であることが記載され、その【００８７】には「サンプルＡ４（本発明による）」の保存安定性が「無色、安定（３ヶ月後）」であったことが記載されている。
　
（カ）臭気マスキング剤の配合割合の範囲について
　しかしながら、当該「ＯＭＡ−Ｂ１」の組成についての開示は、各成分が具体的にどのような配合割合で用いられているのかを明らかにするものではなく、その【００８５】に記載される範囲の配合割合のもの全てが、その範囲内で等しく、その【００８７】に記載されるとおりの保存安定性を示すといえる技術的な根拠は見当たらないので、本願明細書の「サンプルＡ４（本発明による）」の記載によっては、本願の特許出願時の技術常識を参酌しても、当該「ＯＭＡ−Ｂ１」の組成に示される範囲内であれば、所望の効果が得られると当業者において認識できる程度に具体的な開示をして、発明の詳細な説明が記載されているとは認められない。
　また、本願明細書の発明の詳細な説明の全ての記載を精査しても、本件補正発明の「臭気マスキング剤」の配合成分とされる「フェノキシベンゼン」と「２−メトキシナフタレン」と「リモネン」と「ユーカリプトール」と「５−メチル−３−ヘプタノンオキシム」と「添加剤」の各々が、その化学構造により、どのようなメカニズムで「アミン臭気のマスキング」に関与しているのか、当業者が理解できる程度の記載が見当たらない。
　したがって、本件補正発明の「臭気マスキング剤」の配合割合の広範な範囲について、本願明細書の具体例の記載を含む全ての記載を精査しても、本件補正発明が、発明の詳細な説明の記載により当業者が当該発明の課題を解決できると認識できる範囲のものであると認めることはできず、また、その記載や示唆がなくとも当業者が出願時の技術常識に照らし当該発明の課題を解決できると認識できる範囲のものであると認めることができない。
　
（キ）臭気マスキング剤の濃度範囲について
　次に、本願明細書の「サンプルＡ４（本発明による）」の試験結果は、臭気マスキング剤が「０．０８重量％」の量で用いられている場合の具体例にすぎないので、この試験結果によっては、本件補正発明の「ｂ）組成物の総重量に対して最大０．５％の臭気マスキング剤（ｂ）」という広範な数値範囲のもの全てが、上記『使用者および環境にとってきわめて不快でやっかいであるアミンの臭気を完全にまたは少なくともきわめて本質的にマスキングするための組成物の提供』という課題を解決できると認識できる範囲にあるとは認められない。
　そして、臭気マスキング剤の濃度が低ければ「アミン臭のマスキング」の能力が十分ではなくなることは技術常識から明らかであって、本願明細書の発明の詳細な説明の全ての記載を精査しても、当該「最大０．５％」という下限値を設定しない広範な数値範囲の全てが、上記課題を解決できると認識できる範囲にあるとは認められない。
　したがって、本件補正発明の「臭気マスキング剤」の濃度割合の広範な範囲について、本願明細書の具体例の記載を含む全ての記載を精査しても、本件補正発明が、発明の詳細な説明の記載により当業者が当該発明の課題を解決できると認識できる範囲のものであると認めることはできず、また、その記載や示唆がなくとも当業者が出願時の技術常識に照らし当該発明の課題を解決できると認識できる範囲のものであると認めることができない。
　
（ク）令和元年１２月１３日に提出された審判請求書における請求人の主張について
　当該審判請求書において、請求人は、「サンプルＡ４において、エーテル（フェノキシベンゼン、２−メトキシナフタレン）、テルペン（リモネン、ユーカリプトール）及びオキシム（５−メチル−３−ヘプタノンオキシム）の各々の化合物の配合量は記載されていないが、サンプルＡ４に記載の範囲であれば、各構成成分の重合％がいずれであっても、同様のアミン臭気のマスキング効果を有するのである。」と主張する。
　しかし、本願明細書の「サンプルＡ４（本発明による）」は、臭気マスキング剤の配合組成を具体的に開示するものではなく、また、「記載の範囲であれば、各構成成分の重合％がいずれであっても、同様のアミン臭気のマスキング効果を有する」根拠も示されていないから、本願明細書の【００８５】に示される配合組成の範囲内のもの全てが、上記『使用者および環境にとってきわめて不快でやっかいであるアミンの臭気を完全にまたは少なくともきわめて本質的にマスキングするための組成物の提供』という課題を解決できると認識できる程度に、発明の詳細な説明に記載されているとはいえないので、請求人の上記主張は採用できない。
　
（ケ）サポート要件のまとめ
　以上総括するに、本件補正発明が、発明の詳細な説明に記載された発明で、発明の詳細な説明の記載により当業者が当該発明の課題を解決できると認識できる範囲のものであるとは認められず、また、その記載や示唆がなくとも当業者が出願時の技術常識に照らし当該発明の課題を解決できる認識できる範囲ものであるとも認められないので、補正後の請求項１の記載は、特許法第３６条第６項第１号に適合するものではなく、本件補正発明は、特許出願の際独立して特許を受けることができないものである。
（３）むすび 
　以上のとおりであるから、本件補正は、特許法第１７条の２第５項に規定する目的要件に違反するものであり、また、同法第１７条の２第５項第２号に規定する請求項の限定的減縮に該当するとしても、同法第１７条の２第６項において準用する同法１２６条第７項の規定にする独立特許要件にも違反するから、同法第１５９条第１項において読み替えて準用する同法第５３条第１項の規定により却下すべきものである。 
第３　本願発明について 
１．本願発明  
　上記第２のとおり、本件補正は却下されたので、本願の請求項１〜１４に係る発明は、平成３１年４月１５日付けの手続補正により補正された特許請求の範囲の請求項１〜１４に記載された事項により特定されるとおりのものであって、その請求項１の記載は次のとおりである。 
「　　【請求項１】
　ａ）組成物の総重量に対して少なくとも９０重量％の少なくとも１つの第一級、第二級または第三級アミンおよび
　ｂ）組成物の総重量に対して最大１０％の臭気マスキング剤（ｂ）を含む組成物であって、
　前記臭気マスキング剤が：
　式（ｂ１）の少なくとも１つのエーテル：
　　【化１】
（式中：
　Ｒ４およびＲ５は同一であっても異なってもよく、１から１２個の炭素原子を含む直鎖または分枝アルキル基、３から１２個の炭素原子を含むシクロアルキル基、２から１２個の炭素原子を含むアルケニル基、３から１２個の炭素原子を含むシクロアルケニル基、フェニル基およびベンジル基から互いに独立して選択され、
　Ｒ４およびＲ５は、これらが結合されている酸素原子と共に、３から２０個の原子を含み、酸素、窒素、硫黄およびリンから選択される１個以上のヘテロ原子を含んでよい環構造を形成してもよく、前記環構造がヒドロキシ、アルコキシ、アルキルカルボニル、アルコキシカルボニル、フェニル、ベンジル、フッ素、塩素、臭素、ヨウ素、硫黄、リンおよび窒素から選択される１個以上の基によって置換されてもよい）、
少なくとも１つのテルペンおよび／または１つのテルペノイド（ｂ２）、ならびに
式（ｂ３）の少なくとも１つのオキシム：
　　【化２】
（式中：
　Ｒ６は１から２４個の炭素原子を含む直鎖または分枝アルキル基、３から２４個の炭素原子を含むシクロアルキル基、２から２４個の炭素原子を含むアルケニル基、３から２４個の炭素原子を含むシクロアルケニル基、フェニル基およびベンジル基から選択され、ならびにＲ７は水素原子および１から２４個の炭素原子を含む直鎖または分枝アルキル基、３から２４個の炭素原子を含むシクロアルキル基、２から２４個の炭素原子を含むアルケニル基、３から２４個の炭素原子を含むシクロアルケニル基、フェニル基およびベンジル基から選択され、
　Ｒ６およびＲ７は、これらが結合されている炭素原子と共に、３から２０個の原子を含み、酸素、窒素、硫黄およびリンから選択される１個以上のヘテロ原子を含んでよい環構造を形成してもよく、前記環構造がヒドロキシ、アルコキシ、フェニル、ベンジル、フッ素、塩素、臭素、ヨウ素、硫黄、リンおよび窒素から選択される１個以上の基によって置換されてもよい）を含む、組成物。」（以下、「本願発明」という。） 
２．原査定の拒絶理由  
　原査定の拒絶の理由の一つは、「平成３０年１０月１１日付け拒絶理由通知書に記載した理由３」であって、要するに、この出願は、特許請求の範囲の記載が、特許法第３６条第６項第１号に規定する要件を満たしていない、という理由を含むものである。  
３．当審の判断
（１）サポート要件の判断手法について
　上記第２、２．（２）イ（ア）のとおりである。
（２）特許請求の範囲の記載
　上記１．のとおりである。
（３）発明の詳細な説明の記載
　上記第２、２．（２）イ（ウ）のとおりである。
（４）対比・判断
　本願発明の解決しようとする課題は、本願の発明の詳細な説明、段落０００２−００１２等からみて『使用者および環境にとってきわめて不快でやっかいであるアミンの臭気を完全にまたは少なくともきわめて本質的にマスキングするための組成物の提供』にあるものと認められ、そして、本願発明は、上記課題を解決するための手段として、本願発明は、アミン化合物に対し、臭気マスキング剤（ｂ）として、（ｂ１）で表されるエーテル化合物、少なくとも１つのテルペンおよび／または１つのテルペノイド（ｂ２）、及び、式（ｂ３）で表される少なくとも１つのオキシム化合物を含むことを発明特定事項としている。
　一方、発明の詳細な説明において、発明の課題が解決できると称して記載されているのは、サンプルＡ４の「臭気マスキング剤：ＯＭＡ−Ｂ１　１０％から９８％のエーテル（フェノキシベンゼン、２−メトキシナフタレン）、１０％から９８％のテルペン／テルペノイド（リモネン、ユーカリプトール）、１％から１０％のオキシム（５−メチル−３−ヘプタノンオキシム）、０．１％から１％の添加剤、主にエステル（トリエチルシトレート、イソプロピルテトラデカノエート）、ここで構成成分の和は、マスキング剤の１００重量％に相当する。」を用いた場合であるが、上記サンプルＡ４において、２−メトキシナフタレンは（ｂ１）で表されるエーテル化合物に含まれず、エーテル（フェノキシベンゼン、２−メトキシナフタレン）、テルペン／テルペノイド（リモネン、ユーカリプトール）及びオキシム（５−メチル−３−ヘプタノンオキシム）の各々の化合物の配合量は範囲が記載されているのみで、具体的な配合量は不明である。さらにいえば、例えば、フェノキシベンゼンと２−メトキシナフタレンとの合計量が９８重量％である場合、テルペン／テルペノイド及びオキシムの配合量をいくら少なくしても総量が１００重量％を超過してしまい、不合理である。
　そして、一般に、香料組成物において、組成物を構成する各成分の組み合わせや、配合量の違い、配合割合のバランスによって、香気の強さや香調等の香気特性は大きく影響を受けるから、得られる組成物の特性を、配合する成分のみから予測することは困難であることが技術常識であるところ、発明の詳細な説明にて効果が確認されていると称される「ＯＭＡ−Ｂ１」なる臭気マスキング剤の配合組成が明らかではなく、請求人が「フェノキシベンゼンと２−メトキシナフタレンとの合計量が９８重量％となるように選択することはない」と主張しようとも、具体的に効果を確認したとしている上記サンプルＡ４の組成を発明の詳細な説明の記載から認識することができない以上、必ずしも本願発明が、「アミンの臭気を完全にまたは少なくともきわめて本質的にマスキング」できる範囲にあることは、客観的に把握できないといわざるを得ない。
（５）小括 
　以上の検討のとおり、特許請求の範囲の請求項１の記載は、特許法第３６条第６項第１号に規定する明細書のサポート要件に適合するものでない。
第４　むすび
　以上の検討のとおり、特許請求の範囲の請求項１の記載は、特許法第３６条第６項第１号に規定する明細書のサポート要件に適合するものでなく、本願請求項１に係る発明は、発明の詳細な説明に記載したものとはいえないから、本願は、同項に規定する要件を満たしていない。
　したがって、本願は、請求項２ないし１４に係る発明について検討するまでもなく、特許法第４９条第４号の規定に該当し、拒絶されるものである。
　よって、結論のとおり審決する。